(57)【要約】 【課題】ボリュームが過度に回動されることがなく、消費電力の浪費やソレノイドの破損を招くことがない遊技機の操作ハンドルを提供する。【解決手段】操作ハンドルは、打球力調整ホイールと、ギヤ機構部５と、操作子４とを備える。ギヤ機構部５を、操作子４によって回動されるセンターギヤ５１と、センターギヤ５１と係合してボリュームギヤ６２を最大角度回動させるシャフトギヤ５３と、シャフトギヤ５３を最大角度方向に付勢する付勢手段５２とからなるものとして、センターギヤ５１の回動によりシャフトギヤ５３が最大角度まで回動される構造として、シャフトギヤ５３が最大角度回動されて更なる回動を規制された状態で操作子４が回動されたときは、センターギヤ５１のシャフトギヤ５３との係合が解除されてセンターギヤ５１のみが回動される。【選択図】図５
2012165884.tif 000002
【特許請求の範囲】
【請求項１】
遊技機に立設されるハンドル本体と、ハンドル本体に対して回動可能に設けられる打球力調整ホイールと、この打球力調整ホイールの回動をボリュームのボリュームギヤに伝達するギヤ機構部と、ギヤ機構部に所定の回動力を伝達する操作子と、を備える遊技機の操作ハンドルであって、
前記ギヤ機構部を、打球力調整ホイール及び操作子によって回動されるセンターギヤと、センターギヤと係合してボリュームギヤを最大角度回動させるシャフトギヤと、シャフトギヤを最大角度方向に付勢する付勢手段とからなるものとして、センターギヤの回動によりシャフトギヤが最大角度まで回動される構造として、
シャフトギヤが最大角度回動されて更なる回動を規制された状態でセンターギヤが回動されたときは、センターギヤのシャフトギヤとの係合が解除されてセンターギヤのみが回動される構造として、ボリュームの過度の回動を規制したことを特徴とする遊技機の操作ハンドル。
【請求項２】
センターギヤには係合部を設け、シャフトギヤには前記係合部に係止される被係合部を設けたうえに、
シャフトギヤ又はボリュームギヤには、最大角度を規制するためのメカストッパーを設けて、
メカストッパーによりシャフトギヤ又はボリュームギヤの回動が規制されると、前記係合部が前記被係合部から離脱してセンターギヤのみが回動されて、センターギヤの回動がシャフトギヤに非伝達となることでボリュームギヤの過度の回動を規制されるようにしたことを特徴とする請求項1に記載の遊技機の操作ハンドル。
【請求項３】
前記付勢手段は、センターギヤとシャフトギヤとの間に介装されるトーションバネであることを特徴とする請求項１又は２に記載の遊技機の操作ハンドル。
【発明の詳細な説明】
【技術分野】
【０００１】
本発明は、パチンコ機の遊技領域に球を発射して遊技を行うための遊技機の操作ハンドルに関するものである。
【背景技術】
【０００２】
パチンコ機として、遊技盤の遊技領域の中央部に始動入賞口を配置し、遊技領域の右側に大入賞口を配置した機種がある。この機種のパチンコ機においては、通常は始動入賞口のある中央部を狙い、大当たりが発生して特別遊技状態となったときは大入賞口のある右側を狙う必要があって、中央部狙いと右側狙いとを交互に切り替えて球を発射する必要がある。このため、切り替えの都度操作ハンドルを操作して球の発射速度を調整せねばならず、遊技者にとってはたいへん煩わしいことであった。また、発射速度を調整している間はいずれの入賞口にも入らない球が発射されて無駄になるので、遊技者にとっては不利益を被るものであった。
【０００３】
上記の問題を解決するために特許文献1には、遊技領域の中央部と右側との狙いを切り替えて発射できるようにした操作装置が開示されている。開示に係る操作装置は、遊技機の部位に固設される操作装置本体と、操作装置本体に対して回動可能に設けられる打球力調整ホイールと、この打球力調整ホイールと同軸線上に設けられる中心ギヤと、打球力調整ホイールの周縁部に回動可能に付設される操作子とを備える。操作子は、打球力調整ホイールに対する回動操作力を中心ギヤに伝達するための伝動ギヤ部と、打球力調整ホイールの外周端面より外方に突出する押圧部とを有する。打球力調整ホイールを回動して中央部狙いとしてこの回動位置に拘束した状態で操作子の押圧部を押圧したとき、伝動ギヤ部から中心ギヤに対して打球力が増大する方向への回転力が伝達されるので、右側を集中的に狙うことができる。その後操作子の押圧を解除することによって元の中央部狙いに戻すことができるので、操作が簡単で且つ調整のための無駄球を発射することがない。
【０００４】
上記開示に係る操作装置においては、ボリューム（可変抵抗器）と、発射装置の駆動源であるソレノイドとの間に制御基板が設けられており、ボリュームの抵抗値に応じた電圧を電流に変換してソレノイドに出力している。例えば、打球力調整ホイールの操作に対応するボリュームの回動角度を６０〜１８５°とし、操作子を操作するとボリュームがさらに０〜７５°回動する機構とすると、ボリュームの全回動角度は、６０〜２６０°となる。この場合においても、遊技者側の都合により打球力調整ホイールを最大角度の１８５°回動させた状態で右狙いで球を発射できるようにしておく必要がある。遊技者が打球力調整ホイールを１８５°回動させた状態で、故意または過失により遊技者が操作子を押圧した場合には、ボリュームは２６０°回動されてしまう。通常の制御基板においては、ボリュームの回動角度と電流値は比例しているので、右狙いできる１８５°よりも大きい電流が出力されることとなって、消費電力の浪費やソレノイドの破損を招く恐れがあった。また、ボリュームには、機械的に回転可能な角度が定められているため、製品の仕様以上に回動してしまい壊れる恐れもあった。
【先行技術文献】
【特許文献】
【０００５】
【特許文献１】特開２００７−１４３９４９号公報      （図６）
【発明の概要】
【発明が解決しようとする課題】
【０００６】
本発明は、上記した従来の問題点に鑑み、ボリュームが過度に回動されることがなく、消費電力の浪費やソレノイドの破損を招くことがない遊技機の操作ハンドルを提供することを課題とする。
【課題を解決するための手段】
【０００７】
上記の課題を解決するためになされた本発明に係る遊技機の操作ハンドルは、遊技機に立設されるハンドル本体と、ハンドル本体に対して回動可能に設けられる打球力調整ホイールと、この打球力調整ホイールの回動をボリュームのボリュームギヤに伝達するギヤ機構部と、ギヤ機構部に所定の回動力を伝達する操作子と、を備える遊技機の操作ハンドルであって、
前記ギヤ機構部を、打球力調整ホイール及び操作子によって回動されるセンターギヤと、センターギヤと係合してボリュームギヤを最大角度回動させるシャフトギヤと、シャフトギヤを最大角度方向に付勢する付勢手段とからなるものとして、センターギヤの回動によりシャフトギヤが最大角度まで回動される構造として、
シャフトギヤが最大角度回動されて更なる回動を規制された状態でセンターギヤが回動されたときは、センターギヤのシャフトギヤとの係合が解除されてセンターギヤのみが回動される構造として、ボリュームの過度の回動を規制したことを特徴とするものである。
【０００８】
上記した発明において、センターギヤには係合部を設け、シャフトギヤには前記係合部に係止される被係合部を設けたうえに、
シャフトギヤ又はボリュームギヤには、最大角度を規制するためのメカストッパーを設けて、
メカストッパーによりシャフトギヤ又はボリュームギヤの回動が規制されると、前記係合部が前記被係合部から離脱してセンターギヤのみが回動されて、センターギヤの回動がシャフトギヤに非伝達となることでボリュームギヤの過度の回動が規制されるようにすることができる。
【０００９】
さらに前記付勢手段を、センターギヤとシャフトギヤとの間に介装されるトーションバネとすることができる。
【発明の効果】
【００１０】
本発明の遊技機の操作ハンドルは、操作ハンドルを適当な角度回動して遊技領域の中央狙いで球を発射していたときには、操作子を押圧することによってセンターギヤが回動されて、これによってシャフトギヤも回動されるので、無駄球を生ずることなく直ちに右狙いに切り替えて遊技を行うことができる。一方、操作ハンドルを最大角度回動して右狙いで球を発射していたときには、メカストッパーがシャフトギヤの更なる回動を規制するとともに、操作子が回動されてもセンターギヤのみがシャフトギヤから離脱して回動されるので、操作子の回動がシャフトギヤに伝達されることはない。よって、ボリュームが過度に回動されることがないので、消費電力の浪費やソレノイドの破損を招くことがない。
【図面の簡単な説明】
【００１１】
【図１】操作ハンドルの外観を示す斜視図である。
【図２】操作ハンドルの分解斜視図である。
【図３】操作ハンドルの内部を示す斜視図である。
【図４】操作ハンドルの要部の斜視図である。
【図５】操作子とギヤ機構部を示す斜視図である。
【図６】操作ハンドルの内部構造を示す垂直断面図である。
【図７】メカストッパーを説明するためのシャフトギヤ部水平断面図である。
【図８】シャフトギヤが回動可能な状態にある操作ハンドルの要部斜視図である。
【図９】シャフトギヤが回動不能な状態にある操作ハンドルの要部斜視図である。
【図１０】ボリュームギヤの回動状態を示す説明図である。
【図１１】別の形態の操作ハンドルの外観を示す斜視図である。
【図１２】別の形態の操作ハンドルの要部を示す分解斜視図である。
【図１３】別の形態の操作ハンドルの内部を示す斜視図である。
【図１４】別の形態の操作子とギヤ機構部を示す斜視図である。
【発明を実施するための形態】
【００１２】
以下に、本発明の実施形態に付いて説明する。
図１は本発明に係る遊技機の操作ハンドルの外観を示す斜視図、図２はその分解斜視図、図３−５は操作ハンドルの要部の斜視図である。図１において、１は遊技機に立設されるハンドル本体、２はハンドル本体１に対して回動可能に設けられる打球力調整ホイール、３はハンドル本体１に一体に合体されるハンドルキャップである。
【００１３】
図２において、打球力調整ホイール２は、遊技者が打球力調整ホイール２に触れていることを検出するタッチセンサ２１と、回動戻り用の捻りバネ２２と、捻りバネ支持リング２３とを備えている。捻りバネ２２は、一端が打球力調整ホイール２に係止され他端がハンドル本体１に係止されていて、回動された打球力調整ホイール２を元の位置に復帰させる。
【００１４】
４は、打球力調整ホイール２の周縁部に回動可能に付設された操作子であって、支軸４１を中心に回動する。この操作子４は、打球力調整ホイール２の外周面より突出する押圧部４２と、伝動ギヤ部４３とを有する。支軸４１には押圧部４２を突出方向に付勢するバネ４４が装着されている。伝動ギヤ部４３は押圧部４２の押圧により回動されて、その回動を後述するギヤ機構部５のセンターギヤ５１に伝達する。
【００１５】
図２において、５はギヤ機構部であって、このギヤ機構部５は、センターギヤ５１と付勢手段であるトーションバネ５２とシャフトギヤ５３とからなる。また、７１は球発射停止スイッチであり、７２はその作動片である。
【００１６】
センターギヤ５１は、前記伝動ギヤ部４３と歯合し、操作子４の回動により回動される（図３）。センターギヤ５１とシャフトギヤ５３はトーションバネ５２を挟んでそれらの中心軸を同一にして組み付けられている（図６）。さらに、センターギヤ５１のつば部外周には係合部５１２が突設されている（図３、５）。
【００１７】
シャフトギヤ５３は、全体形状円筒状のものであって、ボリューム６の回動軸６１に取り付けられたボリュームギヤ６２と歯合するギヤ部５３１を有する（図５）。さらに、シャフトギヤ５３の外周部には、係合部５１２に係止される被係合部５３3が突設されている。
【００１８】
トーションバネ５２は、一端がセンターギヤ５１に係止され他端がシャフトギヤ５３に係止されており、センターギヤ５１を最小角度方向に、シャフトギヤ５３をそれとは逆の最大角度方向に付勢している。ここで、最大角度とはボリュームギヤ６２が回動可能な最大角度であって、発射強度が最も強くなる角度である。このように、被係合部５３３がトーションバネ５２によって最大角度方向に付勢されているので、シャフトギヤ５３が回動可能であるときは、係合部５１２と係合してセンターギヤ５１の回動に伴いシャフトギヤ５３も回動する。このため、センターギヤ５１の回動をシャフトギヤ５３に伝達するが、シャフトギヤ５３の回動が規制されたときには、両者の係合が解除されてセンターギヤ５１のみ回動してシャフトギヤ５３は規制された位置に留まるので、センターギヤ５１の回動をシャフトギヤ５３へ非伝達とすることができる。
【００１９】
なお、トーションバネ５２の付勢力はバネ４４や捻りバネ２２のものよりも弱いものとなっている。また、トーションバネ５２の代わりに、他のバネやゴムなどを用いてもよい。さらに、本実施形態ではトーションバネ５２をセンターギヤ５１とシャフトギヤ５３とに懸架して、センターギヤ５１とシャフトギヤ５３とをそれぞれ付勢しているが、シャフトギヤ５３だけ付勢されていればよく、特にセンターギヤ５１を付勢する必要はない。
【００２０】
前記した打球力調整ホイール２は、その中心軸２４がセンターギヤ５１の中心軸５１１と同軸にして組み付けられている（図６）。打球力調整ホイール２を回動することによって操作子４も打球力調整ホイール２の外周方向に移動するので、これによって伝動ギヤ部４３がセンターギヤ５１を回動し、トーションバネ５２、シャフトギヤ５３を介してボリュームギヤ６２が回動されて、球発射力を調整することができる。
【００２１】
シャフトギヤ５３は、側面に最大角度を規制するためのメカストッパー５３２ａと、最小角度を規制するための５３２ｂを有する（図７）。このメカストッパー５３２ａ、５３２ｂは、側面を凹ませて二つの段差を所要角度おいて配置したものであって、ハンドル本体１の内側面から突出して設けられた回動規制片１１により回動を規制されて、所要角度の範囲内を回動することができる。例えば、メカストッパー５３２ａ、５３２ｂを１００°間隔をおいて配した場合には、シャフトギヤ５３は１００°まで回動することができるが、１００°を超えて回動することはできない。
【００２２】
図７、８に示す操作ハンドルにおいては、最大角度規制側のメカストッパー５３２ａは回動規制片１１より離間した状態であるので、トーションバネ５２の付勢によって係合部５１２と被係合部５３３とが係合し、センターギヤ５１の回動に伴ってシャフトギヤ５３はメカストッパー５３２ａが回動規制片１１に当接するまで回動することができる（図９）。
【００２３】
打球力調整ホイール２を適当な角度回動して、遊技領域の中央狙いで遊技を行っていたときに大当たりの状態となって、右狙いで球を発射する必要が生じたときは、操作子４を押圧すればセンターギヤ５１が回動されて、トーションバネ５２により付勢されたシャフトギヤ５３が回動されて、ボリュームギヤ６２が所要角度回動されるので、直ちに右狙いで球を発射することができる。操作子４の押圧を解除すれば元の中央狙いとして直ちに球を発射することができる。
【００２４】
図９に示す操作ハンドルにおいては、打球力調整ホイール２が最大角度回動されて最大角度規制側のメカストッパー５３２ａが回動規制片１１に当接した状態であるので、シャフトギヤ５３はこれ以上回動することはできない。この状態で操作子４を押圧しても、係合部５１２と被係合部５３３との係合が解除されてセンターギヤ５１のみ回動して、シャフトギヤ５３はメカストッパー５３２ａが回動規制片１１に当接した位置に留まるため、センターギヤ５１の回動を非伝達にして、ボリュームギヤ６２が過度に回動されることはない。
【００２５】
ボリュームギヤ６の回動状態を図１０により説明する。（ａ）図は、初期状態であって、打球力調整ホイール２は回動されておらず操作子４の押圧もない。打球力調整ホイール２は長孔２５を有し、ハンドル本体１に突設されたストッパー１２により回動範囲を規制されており、ボリュームギヤ６２は０〜１２５°の間を回動する。また、操作子４の押圧によりボリュームギヤ６２は、９０°回動可能となっている。この状態では、トーションバネ５２によって最大角度側に付勢された被係合部５３３が係合部５１２と係合している。
【００２６】
図１０において、（ｂ）、（ｃ）、（ｄ）図は、それぞれ打球力調整ホイール２の回動によりボリュームギヤ６２が３５°、９５°、１２５°回動された状態である。（ｂ）図の状態において、操作子４を押圧したときには、ボリュームギヤ６２はさらに９０°回動されて、合計１２５°回動される（図ｅ）。これらの状態では、（ａ）図と同様に係合部５１２と被係合部５３３とが係合している。
【００２７】
（ｆ）図は、ボリュームギヤ６２が９５°回動する分だけ打球力調整ホイール２を回動し、ボリュームギヤ６２が９０°回動する分だけ操作子４を押圧した状態である。このとき、シャフトギヤ５３の回動はメカストッパー５３２ａにより１２５°までの回動に規制されているので、係合部５１２と被係合部５３３との係合が解除されて、シャフトギヤ５３の回動は１２５°に規制されたまま、センターギヤ５１のみさらに６０°余分に回動する。
【００２８】
（ｇ）図は、打球力調整ホイール２及び操作子４を最大角度操作した状態、つまり、ボリュームギヤ６２が１２５°回動する分だけ打球力調整ホイール２を回動し、ボリュームギヤ６２が９０°回動する分だけ操作子４を押圧した状態である。このとき、（f）図と同様にシャフトギヤ５３の回動はメカストッパー５３２ａにより１２５°までの回動に規制されているので、係合部５１２と被係合部５３３との係合が解除されて、シャフトギヤ５３の回動は１２５°に規制されたまま、センターギヤ５１のみさらに９０°余分に回動する。以上のようにして、ボリュームギヤ６２の過度の回動は規制されるので、ボリュームに過大な電流が流れて損傷したりすることはない。
【００２９】
なお、長孔２５とストッパー１２とにより規制されるため、最小角度を規制するための５３２ｂはなくても構わない。
また、本実施形態ではメカストッパー５３２ａによってシャフトギヤ５３の最大角度を規制しているが、それに替えて図１０のように、ボリュームギヤ６２に回動規制片６２１を設け、ハンドル本体１のメカストッパー１３、１４によってボリュームギヤ６２の最大角度を規制するようにしてもよい。
【００３０】
図１１−１４に、上記したものとは別の形態の操作子４を用いた操作ハンドルを示す。
この形態の操作子４は、押圧部４２と伝動ギヤ部４３が別体となっているものである。押圧部４２は打球力調整ホイール２の指掛部２１から突設されており、打球力調整ホイール２とその後方のブラケット４８との間に挟持されている。押圧部４２は回動軸４５と係止突起４６とを有する。伝動ギヤ部４３は、長穴形状の係止穴４７を有している。係止突起４５は、係止穴４７にはめ込まれる（図１４）。押圧部４２を押し下げると係止突起４６が回動軸４５を中心に回動されて、これにより伝動ギヤ部４３は支軸４１を中心に回動される。よって、ギヤ機構部５を介してボリュームギヤ６２を回動することができる。
【符号の説明】
【００３１】
２  打球力調整ホイール、４  操作子、５  ギヤ機構部、６  ボリューム、５１  センターギヤ、５２  トーションバネ（付勢手段）、５３  シャフトギヤ、６２  ボリュームギヤ、５３２ａ  メカストッパー
【図１】
2012165884.tif 000003
【図２】
2012165884.tif 000004
【図３】
2012165884.tif 000005
【図４】
2012165884.tif 000006
【図５】
2012165884.tif 000007
【図７】
2012165884.tif 000008
【図８】
2012165884.tif 000009
【図９】
2012165884.tif 000010
【図１０】
2012165884.tif 000011
【図１１】
2012165884.tif 000012
【図１２】
2012165884.tif 000013
【図１３】
2012165884.tif 000014
【図１４】
2012165884.tif 000015
【図６】
2012165884.tif 000016